(57)【要約】【課題】歯科医師による良好な取付性を確保し装着時における補綴物の浮き上がりを防止すると共に、適切な維持力を備えて補綴物の離脱を防止する。【解決手段】支台歯２または内冠に被せられる歯科用補綴物１であって、支台歯２または内冠のコーヌス角に応じて、支台歯２または内冠と歯科用補綴物１と間のセメントスペース３の厚さが異なる歯科用補綴物１を提供する。第１コーヌス角Ａａ／２のセメントスペース３の厚さＷａは、第１コーヌス角より小さい第２コーヌス角Ａｂ／２のセメントスペース３の厚さＷｂより薄いことが好ましい。【選択図】図３
2020092796.tif 000002
【特許請求の範囲】
【請求項１】
支台歯または内冠に被せられる歯科用補綴物であって、
前記支台歯または前記内冠のコーヌス角に応じて、前記支台歯または前記内冠と前記歯科用補綴物と間のセメントスペースの厚さが異なる歯科用補綴物。
【請求項２】
第１コーヌス角の前記セメントスペースの厚さは、前記第１コーヌス角より小さい第２コーヌス角の前記セメントスペースの厚さより薄いことを特徴とする請求項１に記載の歯科用補綴物。
【請求項３】
支台歯または内冠に被せられる歯科用補綴物の製造方法であって、
前記支台歯または前記内冠のコーヌス角を測定し、
測定したコーヌス角に基づき、前記支台歯または前記内冠と前記歯科用補綴物と間のセメントスペースの厚さを決定する、
歯科用補綴物の製造方法。
【請求項４】
前記支台歯または前記内冠のコーヌス角の測定は、前記支台歯または前記内冠の任意の位置での第３コーヌス角と、前記第３コーヌス角を測定した位置と略直交する位置での第４コーヌス角とを測定し、
前記第３コーヌス角と前記第４コーヌス角との平均からセメントスペースを決定することを特徴とする請求項３に記載の歯科用補綴物の製造方法。
【請求項５】
支台歯または内冠に被せられる歯科用補綴物の製造を支援する補綴物製造支援装置であって、
前記支台歯または前記内冠が撮像された画像を取得する撮像画像取得部と、
前記画像に撮像された前記支台歯または前記内冠のコーヌス角を測定するコーヌス角測定部と、
測定したコーヌス角に基づき、前記支台歯または前記内冠と前記歯科用補綴物と間のセメントスペースの厚さを決定するセメントスペース決定部と、
決定したセメントスペースの厚さを出力する出力処理部と、
を備える補綴物製造支援装置。
【請求項６】
支台歯または内冠に被せられる歯科用補綴物の製造を支援する情報処理方法をコンピュータに実行させるためのプログラムであって、
前記支台歯または前記内冠が撮像された画像に基づき前記支台歯または前記内冠のコーヌス角を測定し、
測定したコーヌス角に基づき前記支台歯または前記内冠と前記歯科用補綴物と間のセメントスペースの厚さを決定し、
決定したセメントスペースの厚さを出力する、
情報処理方法をコンピュータに実行させるためのプログラム。
【発明の詳細な説明】
【技術分野】
【０００１】
本発明は、歯科用補綴物、製造方法、補綴物製造支援装置およびプログラムに関する。
【背景技術】
【０００２】
従来から、歯科用補綴物およびその製造方法に関する技術が提案されている。例えば、特許文献１は、窩洞内に装着されるか又は支台歯に被冠される歯科用補綴物を窩洞又は支台歯に正確に固着することができる構造にし、この歯科用補綴物をコンピュータを用いて設計する方法と、この設計方法で設計した歯科用補綴物をＣＡＤ／ＣＡＭシステムやＣＡＤシステムを利用した装置により作製する方法を開示する。これらの方法では、歯科用補綴物を、窩洞又は支台歯に当接される複数個の突起部と、必要に応じてマージンライン近傍部位とを除いた窩洞又は支台歯に対向する面全体にセメントスペースが確保されている構成にする。支台歯に被冠されるこの歯科用補綴物をコンピュータにより設計するには患者の口腔内から採得した印象に基づいて作製した石膏模型を測定して得た三次元計測データに基づき支台歯に当接される複数個の突起部と必要に応じてマージンライン近傍部位とを設け、該当接部位を除いて窩洞又は支台歯に対向する面全体にセメントスペースを設定する。
【０００３】
また、特許文献２は、精度の高い補綴物を得ることを可能とする歯科用計測加工システムを開示する。この歯科用計測加工システムは、クラウンであれば、補綴物作成の為のモデルの咬合面データ及び咬合面から側面の最大豊隆部までの部位のデータ及び支台歯と、クラウンとの接触ライン（マージンライン）データに基づき、また、補綴物モデルのうち、起伏が急な部分のデータ、部分的又は総入れ歯等の場合は、咬合時の高さ、幅等の口腔内環境を示すデータに基づき、加工する。
【先行技術文献】
【特許文献】
【０００４】
【特許文献１】特開２００７−２１５７６３号公報
【特許文献２】ＷＯ２００１／０９１６６４号公報
【発明の概要】
【発明が解決しようとする課題】
【０００５】
上記従来技術のように、最近はＣＡＤ／ＣＡＭなどのシステムを用いて、支台歯や内冠に適合する補綴物を製造することが行われており、今後は、口腔内スキャナーを使用することが増加すると考えられている。一般に、コーヌス角を６度にしたとき、支台歯等に対して最も適した補綴物の維持力が発揮されると言われている。なお、コーヌス角とは、支台歯または内冠の側面における軸面のテーパーを延長してできる円錐角の半分の角度である。しかし、実際は、歯の状態やその位置などの原因により、支台歯や内冠のコーヌス角を特定の角度に統一することは困難であり、支台歯等の様々なコーヌス角に対応した適合性の高い補綴物を作成することが望まれるところである。
【０００６】
一方、様々なコーヌス角に対応して適合性の良い補綴物を作成する場合、支台歯等の外面と補綴物の内面を接合するためのセメントスペースを一定にすると、折角適合性の良い補綴物を作成しても、装着時に補綴物の浮き上がりが生じ歯科医師による取付性が悪くなったり、逆に適切な維持力が発揮できず補綴物が離脱し易くなったりする場合がある。
【０００７】
本発明は、かかる事情を鑑みて考案されたものであり、良好な取付性を確保し装着時における補綴物の浮き上がりを防止すると共に、適切な維持力を備えて補綴物の離脱を防止する歯科用補綴物、その製造方法、補綴物製造支援装置およびプログラムを提供するものである。
【課題を解決するための手段】
【０００８】
上記課題を解決するために、支台歯または内冠に被せられる歯科用補綴物であって、支台歯または内冠のコーヌス角に応じて、支台歯または内冠と歯科用補綴物と間のセメントスペースの厚さが異なる歯科用補綴物が提供される。
これによれば、支台歯等のコーヌス角に応じて支台歯等と補綴物と間のセメントスペースの厚さが異なることで、良好な取付性を確保し装着時における補綴物の浮き上がりを防止すると共に、適切な維持力を備えて補綴物の離脱を防止する歯科用補綴物を提供することができる。
【０００９】
さらに、第１コーヌス角のセメントスペースの厚さは、第１コーヌス角より小さい第２コーヌス角のセメントスペースの厚さより薄いことを特徴としてもよい。
これによれば、大きなコーヌス角のセメントスペースの厚さは、小さいコーヌス角のセメントスペースの厚さより薄いことで、離脱防止と浮き上がり防止の両方を兼ね備えた歯科用補綴物を提供することができる。
【００１０】
上記課題を解決するために、支台歯または内冠に被せられる歯科用補綴物の製造方法であって、支台歯または内冠のコーヌス角を測定し、測定したコーヌス角に基づき、支台歯または内冠と歯科用補綴物と間のセメントスペースの厚さを決定する歯科用補綴物の製造方法が提供される。
これによれば、コーヌス角に基づき支台歯等と補綴物と間のセメントスペースの厚さを決定することで、良好な取付性を確保し装着時における補綴物の浮き上がりを防止すると共に、適切な維持力を備えて補綴物の離脱を防止する歯科用補綴物の製造方法を提供することができる。
【００１１】
さらに、任意の位置での第３コーヌス角と、第３コーヌス角を測定した位置とほぼ直交する位置での第４コーヌス角とを測定し、第３コーヌス角と第４コーヌス角との平均からセメントスペースを決定することを特徴としてもよい。
これによれば、２つのコーヌス角の平均からセメントスペースを決定することで、支台歯等の側面の全周に亘り離脱防止と浮き上がり防止の両方を兼ね備えた歯科用補綴物の製造方法を提供することができる。
【００１２】
上記課題を解決するために、支台歯または内冠に被せられる歯科用補綴物の製造を支援する補綴物製造支援装置であって、支台歯または内冠が撮像された画像を取得する撮像画像取得部と、画像に撮像された支台歯または内冠のコーヌス角を測定するコーヌス角測定部と、測定したコーヌス角に基づき、支台歯または内冠と歯科用補綴物と間のセメントスペースの厚さを決定するセメントスペース決定部と、決定したセメントスペースの厚さを出力する出力処理部と、を備える補綴物製造支援装置が提供される。
これによれば、支台歯等の画像に基づき支台歯等のコーヌス角に応じて異なるセメントスペースの厚さを出力することで、良好な取付性を確保し装着時における補綴物の浮き上がりを防止すると共に、適切な維持力を備えて補綴物の離脱を防止する歯科用補綴物の製造を支援する補綴物製造支援装置を提供することができる。
【００１３】
上記課題を解決するために、支台歯または内冠に被せられる歯科用補綴物の製造を支援する情報処理方法をコンピュータに実行させるためのプログラムであって、支台歯または内冠が撮像された画像に基づき支台歯または内冠のコーヌス角を測定し、測定したコーヌス角に基づき支台歯または内冠と歯科用補綴物と間のセメントスペースの厚さを決定し、決定したセメントスペースの厚さを出力する、情報処理方法をコンピュータに実行させるためのプログラムが提供される。
これによれば、支台歯等の画像に基づき支台歯等のコーヌス角に応じて異なるセメントスペースの厚さを出力することで、良好な取付性を確保し装着時における補綴物の浮き上がりを防止すると共に、適切な維持力を備えて補綴物の離脱を防止する歯科用補綴物の製造を支援する情報処理方法をコンピュータに実行させるためのプログラムを提供することができる。
【発明の効果】
【００１４】
以上説明したように、本発明によれば、歯科医師による良好な取付性を確保し装着時における補綴物の浮き上がりを防止すると共に、適切な維持力を備えて補綴物の離脱を防止する歯科用補綴物、その製造方法、補綴物製造支援装置およびプログラムを提供することができる。
【図面の簡単な説明】
【００１５】
【図１】支台歯の石膏モデルに基づきテーパー角の測定を説明するための側面図。
【図２】支台歯の円錐角（テーパー角）を説明するための模式図。
【図３】本発明に係る第一実施例における歯科用補綴物のセメントスペースを説明するための模式図。
【図４】本発明に係る第一実施例における歯科用補綴物の製造方法を示すフローチャート。
【図５】本発明に係る第一実施例における歯科用補綴物のコーヌス角に応じたセメントスペースを示す表。
【図６】本発明に係る第二実施例における補綴物製造支援装置のブロック図。
【図７】本発明に係る第二実施例における補綴物製造支援装置の出力表示部の表示画面の例を示す図。
【発明を実施するための形態】
【００１６】
以下では、図面を参照しながら、本発明に係る各実施例について説明する。
【００１７】
＜第一実施例＞
図１乃至図５を参照し、本実施例における歯科用の補綴物１を説明する。補綴物１は、補綴物１を取り付けるために形成された支台歯に直接、または、歯根や顎などの骨に埋め込まれたインプラント（人工歯根）または支台歯に取り付けられる内冠に、被せられる歯科治療に用いられる人工物である。支台歯または内冠は、通常咬合面の方向に向かって閉じた円錐形をなすように形成され、補綴物１の内側に設けられる外冠に嵌合するように形成される。
【００１８】
補綴物１は、たとえば図１の支台歯の石膏模型が示すように、治療する歯の状態やその位置、補綴物１の当該歯への装着方向などを考慮し、歯科医師の判断で適宜形成される。図１（Ａ）に示される支台歯の石膏模型では、軸面のテーパーを延長してできる円錐角は約３９．４°、すなわちコーヌス角は１９．７°として形成されている。また、図１（Ｂ）に示される支台歯の石膏モデルでは、円錐角は約１８°、コーヌス角は９°として形成されている。このように、支台歯または内冠の形状は、元になる歯の形状、治療の程度、その位置（正中側か奥歯側か）、装着方向などを考慮して形成されるため、基本的には支台歯や内冠の形状は一つ一つそれぞれ異なるものとなる。
【００１９】
なお、支台歯や内冠の円錐角（コーヌス角）の測定は、いかなる方法により測定されてもよく、特に限定されない。採得した印象に基づいて作製した石膏模型に角度計を当てて測定してもよいし、当該石膏模型を写真撮影した画像に引いた補助線から測定してもよいし、口腔内や石膏模型を撮影した画像に基づき角度を計測するアプリケーションにより測定してもよい。また、円錐角（コーヌス角）は、２か所以上測定することが好ましい。たとえば、頬側と舌側におけるコーヌス角（第１コーヌス角）を測定すると共に、このコーヌス角を測定した位置（軸面）と直交する位置（軸面）におけるコーヌス角（第２コーヌス角）を測定する。そして、これらの複数のコーヌス角に基づき後述するセメントスペースを決定することが好ましい。
【００２０】
図２を参照して、支台歯２の円錐角およびコーヌス角を説明する。支台歯２は、歯茎ＧＭから円錐台の形状で突出するように形成されている。本図に示す支台歯２は、簡略化のため軸面の母線が直線として模式化して表現されている。支台歯２の円錐角とは、母線が直線である場合はマージン（支台歯２と補綴物１の境界部分）における軸面のテーパー角に基づき求められる。母線が直線でなく曲率を有して側面が丸みを有する場合は、支台歯２の円錐角とは、マージンにおける軸面のテーパー角と頂部付近のテーパー角を平均した角度とすることができる。
【００２１】
また、母線が直線ではなく途中で１回折れ曲がっていて側面が２つの面から構成されるような場合は、支台歯２の円錐角とは、２つの直線の母線の内長い方の母線のテーパー角を当該支台歯２の円錐角としてもよいし、２つの直線の母線がほぼ同じくらいの長さである場合には、２つの母線のテーパー角の平均を当該支台歯２の円錐角としてもよい。本図（Ａ）に示す支台歯２の円錐角Ａａは、本図（Ｂ）に示す支台歯２の円錐角Ａｂより大きい。したがって、本図（Ａ）に示す支台歯２のコーヌス角Ａａ／２は、本図（Ｂ）に示す支台歯２のコーヌス角Ａｂ／２より大きいことを示す。
【００２２】
図３を参照して、図２（Ａ）および図２（Ｂ）に示す支台歯２に対応する補綴物１とセメントスペース３について説明する。図３が示すように、補綴物１の内側（外冠に相当）は、支台歯２の形状に合わせて、支台歯２に適合するように形成される。支台歯２の側面に適合する補綴物１の内側において、その軸面から形成される円錐角は、支台歯２の円錐角と同じである。すなわち、図３（Ａ）における補綴物１の内側の円錐角は、本図の支台歯２の円錐角Ａａに等しい。また、図３（Ｂ）における補綴物１の内側のテーパー角は、本図の支台歯２の円錐角Ａｂに等しい。
【００２３】
したがって、支台歯２の側面と補綴物１の内側の当該側面に適合する面とはほぼ同じ厚さのセメントスペース３が確保される。ここで、セメントスペース３とは、支台歯２に補綴物１を固定するのに使うセメントを塗布するために、支台歯２と補綴物１の内側との間に確保される隙間を言う。なお、母線が湾曲している／折れ曲がっている場合でも、支台歯２の側面と補綴物１の内側の当該側面に対応する面とはほぼ同じ厚さのセメントスペース３が確保されることが好ましい。
【００２４】
図３（Ａ）に示すように、比較的大きな円錐角Ａａを有する支台歯２と補綴物１は、所定の厚さＷａのセメントスペース３が確保されるように補綴物１の内側は形成されている。また、図３（Ｂ）に示すように、比較的小さな円錐角Ａｂを有する支台歯２と補綴物１は、所定の厚さＷｂのセメントスペース３が確保されるように補綴物１の内側は形成されている。ここで、Ｗａ＜Ｗｂの関係が成立している。すなわち、比較的大きなコーヌス角Ａａ／２を有する支台歯２と補綴物１のセメントスペース３の厚さＷａは、比較的小さいコーヌス角Ａｂ／２を有する支台歯２と補綴物１のセメントスペース３の厚さＷｂより薄い。すなわち、第１コーヌス角（Ａａ）のセメントスペース３の厚さＷａは、第１コーヌス角より小さい第２コーヌス角（Ａｂ＜Ａａ）のセメントスペース３の厚さＷｂより薄い（Ｗａ＜Ｗｂ）。
【００２５】
より具体的には、図５に示すように、発明者の数多くの実験の結果、たとえば、コーヌス角が１９°以上の場合にはセメントスペースは０μｍ、コーヌス角が１０°以上１２°未満の場合にはセメントスペースは２０μｍ、コーヌス角が５°未満の場合にはセメントスペースは４５μｍが好ましいことが明らかとなっている。なお、円錐台の頂部におけるセメントスペースの厚さは、特に限定されないが、通常同じ厚さのセメントを塗布することが好ましいことから、テーパーのある軸面におけるセメントスペースの厚さと同じであることが好ましい。
【００２６】
なお、支台歯２の形成は、通常歯科医師によりなされるが、支台歯２に適合するように補綴物１を形成するのは、通常歯科技工士によりなされる。また、補綴物１の支台歯２への装着は、通常歯科医師によりなされる。歯科技工士が作製する補綴物１の支台歯２に対する適合が緩いと、歯科医師による装着作業において補綴物１は支台歯２から離脱し易くなり、逆に適合がきついと装着し難く浮き上がりが生じてしまう。しかし、大きなコーヌス角を有する支台歯２におけるセメントスペース３の厚さＷａは、小さいコーヌス角を有する支台歯２におけるセメントスペース３の厚さＷｂより薄いことで、離脱防止と浮き上がり防止の両方を兼ね備えた歯科用の補綴物１を提供することができる。なお、上記では支台歯２を例に説明したが、歯根（人工歯根を含む）または支台歯に取り付けられる内冠の場合でも同様である。
【００２７】
このように、支台歯２等のコーヌス角に応じて、支台歯２等と補綴物１と間のセメントスペース３の厚さが異なる歯科用の補綴物１を提供することにより、歯科医師による良好な取付性を確保し装着時における補綴物１の浮き上がりを防止すると共に、適切な維持力を備えて補綴物１の離脱を防止することができる。コーヌス角が比較的小さい場合、補綴物１を支台歯２に装着する際にはあそびになるセメントスペースがある程度存在する方が装着し易いため、セメントスペースを厚めにすることが好ましい。逆に、コーヌス角が比較的大きい場合、補綴物１を支台歯２に装着することが容易であるため厚いセメントスペースは不要であり、支台歯２等と補綴物１の内側における隙間が小さく形状がほぼ一致することから生じる維持力を発揮させて離脱防止を図りながら装着する方が好ましい。
【００２８】
図４を参照して、補綴物１の製造方法を説明する。なお、フローチャートにおけるＳはステップを意味する。Ｓ１００において、支台歯２の頬側の軸面と舌側の軸面から形成されるコーヌス角（第３コーヌス角）を測定する。上述したように、測定方法は特に限定されず、たとえば、支台歯２の石膏模型に基づき角度計により測定してもよい。Ｓ１０２において、上記第３コーヌス角を測定した軸面と直交する方向の軸面（歯列方向に垂直な軸面）から形成されるコーヌス角（第４コーヌス角）を測定する。たとえば、奥歯の支台歯である場合、第４コーヌス角は、支台歯２の近心側軸面と遠心側軸面から形成されるコーヌス角である。
【００２９】
Ｓ１０４において、第３コーヌス角と第４コーヌス角の平均を計算する。Ｓ１０６において、平均したコーヌス角に基づき、支台歯２と補綴物１と間のセメントスペース３の厚さを図５に示すコーヌス角セメントスペース対応表５０に基づき決定する。このように、任意の位置での第３コーヌス角と、第３コーヌス角を測定した位置とほぼ直交する位置での第４コーヌス角とを測定し、第３コーヌス角と第４コーヌス角との平均からセメントスペース３を決定することが好ましい。これによれば、２つのコーヌス角の平均からセメントスペースを決定することで、支台歯等の側面の全周に亘り離脱防止と浮き上がり防止の両方を兼ね備えた歯科用の補綴物１の製造方法を提供することができる。なお、３か所以上のコーヌス角を測定してもよく、これらのコーヌス角の平均や中央値などに基づき決定してもよい。
【００３０】
このように、測定したコーヌス角に基づき、支台歯２等と補綴物１と間のセメントスペースの厚さを決定することで、歯科医師による良好な取付性を確保し装着時における補綴物１の浮き上がりを防止すると共に、適切な維持力を備えて補綴物１の離脱を防止する歯科用の補綴物１の製造方法を提供することができる。
【００３１】
＜第二実施例＞
図６乃至図７を参照し、本実施例における歯科用の補綴物製造支援装置１００を説明する。なお、重複記載を避けるため、同じ構成要素には同じ符号を付し説明を省略する。補綴物製造支援装置１００は、支台歯または内冠に被せられる歯科用の補綴物１の製造を支援する装置である。補綴物製造支援装置１００は、支台歯または内冠が撮像された画像を取得する撮像画像取得部１０と、取得した画像に撮像された支台歯等のコーヌス角を測定するコーヌス角測定部２０と、測定したコーヌス角に基づき、支台歯等と補綴物１と間のセメントスペースの厚さを決定するセメントスペース決定部３０と、決定したセメントスペースの厚さを出力する出力処理部４０とを処理部Ｐｒｃに備える。
【００３２】
また、補綴物製造支援装置１００は、さらに、コーヌス角セメントスペース対応表５０と、取得した画像を記憶する画像格納部６０とを記憶部Ｍｅｍに備える。また、補綴物製造支援装置１００は、さらに、支台歯または内冠を撮像する撮像部Ｃａｍと、ネットワークを介して他の機器等から画像を取得する通信部Ｃｏｍと、取得した画像から対象となる支台歯等を指定する操作入力部Ｏｐｒと、出力処理部４０が出力したセメントスペースの厚さを出力する出力表示部Ｄｓｐとを備える。
【００３３】
撮像画像取得部１０は、補綴物１とのセメントスペースを決定するためにコーヌス角を測定する支台歯２等が写った画像を取得する。撮像画像取得部１０は、画像格納部６０に記憶されている画像から、操作入力部Ｏｐｒでコーヌス角を測定するために指定された画像を取得する。なお、画像格納部６０に記憶されている画像は、補綴物製造支援装置１００に設けられた撮像部Ｃａｍで支台歯２などを撮像した画像であってもよいし、他の機器から通信部Ｃｏｍを介して得た画像であってもよい。ここで、画像格納部６０に記憶されている画像は、支台歯２の頬側の軸面と舌側の軸面が写った画像と、この頬舌軸面と直交する軸面が写った画像とが組になって格納されているものとする。
【００３４】
コーヌス角測定部２０は、取得した画像に写った支台歯２等に基づき、そのコーヌス角を測定する。コーヌス角測定部２０におけるコーヌス角の測定方法は、まず、図１に示すように、画像から支台歯２を認識し、認識した支台歯２の一方側の軸面（図１（Ａ）においては支台歯の左側の軸面）のテーパー角を測定し、次に、支台歯２の他方側の軸面（本図において支台歯の右側の軸面）のテーパー角を測定する。そうすると、一方側のテーパー角と他方側のテーパー角から、支台歯２の円錐角が計算できる（たとえば、本図の支台歯の円錐角は３９．４４０°である）。また、本図が支台歯２の頬舌軸面が写った画像であるとすると、その頬舌軸面と直交する軸面が写った画像である図１（Ｂ）を用い、同様に円錐角を計算する（本図の支台歯の円錐角は１７．９９２°である）。なお、本図の支台歯２は、側面の母線がほぼ直線なのでマージンにおける軸面のテーパー角のみに基づいて求めている。そして、この支台歯２のコーヌス角は、両者を平均した円錐角の半分であるから、（３９．４４０°＋１７．９９２°）／４＝１４．３５８°と求められる。なお、人工的に製作した内冠の場合は、円錐角はどこで測定しても同じである場合が多いので、１つの円錐角に基づいてコーヌス角を求めてもよい。
【００３５】
セメントスペース決定部３０は、記憶部Ｍｅｍに記憶されているコーヌス角セメントスペース対応表５０を参照し、測定したコーヌス角に対応する支台歯２等と補綴物１と間のセメントスペースの厚さを決定する（本図の場合、セメントスペースは１５μｍである）。
【００３６】
出力処理部４０は、セメントスペース決定部３０が決定したセメントスペースの厚さを少なくとも出力する。図７は、出力処理部４０が、使用者が見ることのできる出力表示部Ｄｓｐに出力した表示画面を示す。出力処理部４０は、測定対象となった支台歯２の画像（頬舌方向とその方向と直交する方向の軸面が写った画像）と、その画像から測定した２つの円錐角と、その円錐角から計算した平均コーヌス角と、そのコーヌス角に基づくセメントスペースの厚さを出力表示部Ｄｓｐに出力し、出力表示部Ｄｓｐは、本図に示すように、補綴物製造支援装置１００の使用者に表示する。なお、出力処理部４０は、通信部Ｃｏｍを介して他の機器に対してセメントスペースの厚さをデータとして出力してもよい。
【００３７】
このように、支台歯等の画像に基づき、支台歯等のコーヌス角に応じて異なるセメントスペースの厚さを出力することで、良好な取付性を確保し装着時における補綴物の浮き上がりを防止すると共に、適切な維持力を備えて補綴物の離脱を防止する歯科用補綴物の製造を支援する補綴物製造支援装置１００を提供することができる。
【００３８】
図６に示すように、補綴物製造支援装置１００は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）から構成される処理部Ｐｒｃ、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリデバイスなどの記憶部Ｍｅｍ、インターネットやＬＡＮ（Ｌｏｃａｌ  Ａｒｅａ  Ｎｅｔｗｏｒｋ）などと繋がるネットワークインターフェースの通信部Ｃｏｍ、タッチパネル等の操作入力部Ｏｐｒ、情報を表示するためのディスプイ等の出力表示部Ｄｓｐなどを有し、これらが、内部バス等の伝送路を介して互いに接続されたものである。
【００３９】
処理部Ｐｒｃは、プログラムを実行することができるＣＰＵ等のプロセッサおよびその周辺回路を有する。処理部Ｐｒｃは、これらにより、上述した撮像画像取得部１０、コーヌス角測定部２０、セメントスペース決定部３０、および出力処理部４０の機能を実行するための演算処理を行うと共に、補綴物製造支援装置１００の全体的な動作を制御する制御部Ｃｔｌを備え、上述した他の構成要素との間で制御信号および情報信号（データ）の送受信を行う。
【００４０】
記憶部ＭｅｍのＲＯＭには、一般に、電源投入後、最初に実行されるＩＰＬ（Ｉｎｉｔｉａｌ  Ｐｒｏｇｒａｍ  Ｌｏａｄｅｒ）が記録されており、これが実行されることによりメモリデバイスに記憶されたプログラムやデータが、制御部Ｃｔｌによって一旦これらを一時的に記憶するためのＲＡＭに書き出され、それらのプログラムが制御部Ｃｔｌによって実行される。記憶部Ｍｅｍに記憶されているプログラムは、オペレーティングシステムプログラムや各種アプリケーションプログラム（補綴物製造支援装置１００用のプログラムを含む）である。
【００４１】
補綴物製造支援装置１００用のプログラムは、通常通信部Ｃｏｍを介して外部からダウンロードして補綴物製造支援装置１００にインストールされる。インストールされた補綴物製造支援装置１００用のプログラムは、使用者が操作入力部Ｏｐｒを使って起動される。起動されると、制御部Ｃｔｌは、補綴物製造支援装置１００用のプログラムの処理の実行、制御に必要な各種演算処理を行うように構成されており、上述した撮像画像取得部１０、コーヌス角測定部２０、セメントスペース決定部３０、および出力処理部４０が行う機能を処理部Ｐｒｃの一部の機能として実行／制御する。補綴物製造支援装置１００は、上述したように、使用者から、操作入力部Ｏｐｒを介して対象となる支台歯等のセメントスペースの厚さを出力することを要求されると、出力表示部Ｄｓｐを介してセメントスペースの厚さを表示する。
【００４２】
また、補綴物製造支援装置１００として機能させる情報処理方法としてコンピュータに実行させるためのプログラムとしても提供できる。すなわち、支台歯または内冠に被せられる歯科用補綴物の製造を支援する情報処理方法をコンピュータに実行させるためのプログラムであって、支台歯等が撮像された画像に基づき支台歯等のコーヌス角を測定し、測定したコーヌス角に基づき支台歯等と補綴物と間のセメントスペースの厚さを決定し、決定したセメントスペースの厚さを出力する情報処理方法をコンピュータに実行させるためのプログラムを提供する。
【００４３】
このように、支台歯等の画像に基づき、支台歯等のコーヌス角に応じて異なるセメントスペースの厚さを出力することで、良好な取付性を確保し装着時における補綴物の浮き上がりを防止すると共に、適切な維持力を備えて補綴物の離脱を防止する歯科用補綴物の製造を支援する情報処理方法をコンピュータに実行させるためのプログラムを提供することができる。
【００４４】
本プログラムは、補綴物製造支援装置１００用のプログラムであり、補綴物製造支援装置１００にインストールされ、使用者が操作入力部Ｏｐｒを使って起動される。本プログラムは、起動されると、撮像画像取得部１０、コーヌス角測定部２０、セメントスペース決定部３０、および出力処理部４０が行う機能として実行される。
【００４５】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００４６】
１        歯科用補綴物
２        支台歯（内冠）
３        セメントスペース
Ａａ、Ａｂ  円錐角（テーパー角）
Ｗａ、Ｗｂ  セメントスペースの厚さ
ＧＭ      歯茎
１００    補綴物製造支援装置
１０      撮像画像取得部
２０      コーヌス角測定部
３０      セメントスペース決定部
４０      出力処理部
５０      コーヌス角セメントスペース対応表
６０      画像格納部
Ｐｒｃ    処理部
Ｍｅｍ    記憶部
Ｃｏｍ    通信部
Ｃａｍ    撮像部
Ｏｐｒ    操作入力部
Ｄｓｐ    出力表示部
【図１】
2020092796.tif 000003
【図２】
2020092796.tif 000004
【図３】
2020092796.tif 000005
【図４】
2020092796.tif 000006
【図５】
2020092796.tif 000007
【図６】
2020092796.tif 000008
【図７】
2020092796.tif 000009